(57)【要約】【課題】冷媒用配管に結露したドレン水が室内機外に浸水してしまうのを防止する。【解決手段】この床置型の室内機は、熱交換器の側方に配置され、熱交換器に接続される冷媒用配管を覆う防滴カバー６０を備えている。この防滴カバー６０は、下端がドレンパンの内側に設けられる。そして、防滴カバー６０は、熱交換器の伝熱管に嵌合する嵌合部６２を有すると共に、底フレームの固定部に係合する係合部６３を有している。また、防滴カバー６０の前面部６０ａは、熱交換器のＵ字連絡管を覆っている。さらに、防滴カバー６０には、接地用の端子部を覆う端子カバー部６５が設けられている。また、防滴カバー６０には、室温を検知する室温センサを固定する固定部６６が冷媒用配管とは反対側の表面に設けられている。【選択図】図９
2010078220.tif 000002
【特許請求の範囲】
【請求項１】
熱交換器と、
前記熱交換器の側方に配置され、前記熱交換器に接続される冷媒用配管と、
前記熱交換器におけるドレン水を受けるドレンパンと、
前記冷媒用配管を覆い、且つ、下端が前記ドレンパンの内側に設けられるカバー部材とを備えることを特徴とする、床置型室内機。
【請求項２】
前記熱交換器は、上下方向に間隔を隔てて配置される複数の伝熱管と、隣接する前記伝熱管の端部を互いに接続する複数の連絡管とを含み、
前記カバー部材は、前記複数の連絡管の少なくとも１つを覆うことを特徴とする、請求項１に記載の床置型室内機。
【請求項３】
前記カバー部材は、前記熱交換器と同じ高さを有することを特徴とする、請求項２に記載の床置型室内機。
【請求項４】
前記熱交換器は、幅方向に間隔を隔てて配置される複数の放熱フィンと、前記複数の放熱フィンの幅方向の端部に配置される管板とを含み、
前記カバー部材は、前記放熱フィンと前記管板との間に嵌め込まれる爪部を含むことを特徴とする、請求項１〜３のいずれか１項に記載の床置型室内機。
【請求項５】
前記熱交換器は、上下方向に間隔を隔てて配置される複数の伝熱管を含み、
前記カバー部材は、前記伝熱管に嵌合する嵌合部を含むことを特徴とする、請求項１〜４のいずれか１項に記載の床置型室内機。
【請求項６】
前記嵌合部は、２つの前記伝熱管の間に嵌め込まれ、一方の前記伝熱管の下部を支持する第１支持部と、他方の前記伝熱管の上部を支持する第２支持部とを有することを特徴とする、請求項５に記載の床置型室内機。
【請求項７】
前記第１支持部及び前記第２支持部の少なくとも一方は、円筒形状である前記伝熱管を支持する曲面を有していることを特徴とする、請求項６に記載の床置型室内機。
【請求項８】
前記第１支持部及び前記第２支持部の少なくとも一方は、上下方向に撓み変形可能であることを特徴とする、請求項６又は７に記載の床置型室内機。
【請求項９】
前記冷媒用配管に接続される接続配管と、
前記接続配管を固定する固定部を有するフレームとをさらに備え、
前記カバー部材は、前記固定部に係合する係合部を含むことを特徴とする、請求項１〜８のいずれか１項に記載の床置型室内機。
【請求項１０】
前記カバー部材は、前記固定部の前面に当接する当接部を含むことを特徴とする、請求項９に記載の床置型室内機。
【請求項１１】
前記熱交換器の端部に配置される接地用の端子部をさらに備え、
前記カバー部材は、前記端子部を覆うように形成される端子カバー部を含むことを特徴とする、請求項１〜１０のいずれか１項に記載の床置型室内機。
【請求項１２】
前記カバー部材は、水平断面Ｌ字形状又は水平断面コの字形状であって、少なくとも前記冷媒用配管の前面側及び前記冷媒用配管の前記熱交換器の反対側を覆うことを特徴とする、請求項１〜１１のいずれか１項に記載の床置型室内機。
【請求項１３】
前記カバー部材には、室温を検知する室温センサを固定する固定部が前記冷媒用配管とは反対側の表面に設けられることを特徴とする、請求項１〜１２のいずれか１項に記載の床置型室内機。
【発明の詳細な説明】
【技術分野】
【０００１】
本発明は、熱交換器に接続される冷媒用配管を覆うカバー部材を備えた床置型室内機に関する。
【背景技術】
【０００２】
一般的な室内機では、熱交換器から滴下したドレン水を回収するために、熱交換器の下端に沿ってドレンパンが配置されている（例えば、特許文献１及び２参照）。この特許文献１には、電装品ボックスの上面に滴下した水が当該電装品ボックス内の電装品に浸水しないように、電装品ボックスにガイド部を設けて、電装品ボックスの上面に滴下した水をドレンパンに導くようにした床置型空気調和機が開示されている。また、特許文献２には、ファンの吹出口の縁部に、ドレンパンの縁部を覆う張り出し部を設けた床置型空気調和機が開示されている。
【特許文献１】実開平７−２２１７９号公報
【特許文献２】特開２００２−２７６９７７号公報
【発明の開示】
【発明が解決しようとする課題】
【０００３】
しかしながら、上記した特許文献１及び２に記載の床置型空気調和機では、熱交換器の側方に配置され、当該熱交換器に接続される冷媒用配管に結露するドレン水については考慮されていない。このため、冷媒用配管に結露するドレン水がケーシング内における風の影響を受けて飛散したり、冷媒用配管から滴下したドレン水が他の冷媒用配管に当たって飛散したりして、そのドレン水が冷媒用配管に接続される接続配管を外部に引き出すための配管導出部等を通って室内機外に浸水する可能性がある。
【０００４】
そこで、この発明は、上記のような課題を解決するためになされたものであり、冷媒用配管に結露したドレン水が室内機外に浸水してしまうのを防止することが可能な床置型室内機を提供することを目的とする。
【課題を解決するための手段】
【０００５】
第１の発明にかかる床置型室内機は、熱交換器と、熱交換器の側方に配置され、熱交換器に接続される冷媒用配管と、熱交換器におけるドレン水を受けるドレンパンと、冷媒用配管を覆い、且つ、下端がドレンパンの内側に設けられるカバー部材とを備えている。なお、上記した「冷媒用配管を覆う」とは、冷媒用配管の周囲全てを覆う場合のみならず、冷媒用配管の前面側のみを覆う場合、背面側のみを覆う場合、側面側のみを覆う場合を含む概念である。
【０００６】
この床置型室内機では、冷媒用配管を覆い、且つ、下端がドレンパンの内側に設けられるカバー部材を設けることによって、冷媒用配管に結露したドレン水が飛散しても、そのドレン水をカバー部材でドレンパンに導くことができる。これにより、冷媒用配管に結露したドレン水が飛散して室内機外に浸水してしまうのを防止することができる。
【０００７】
第２の発明にかかる床置型室内機は、第１の発明にかかる床置型室内機において、熱交換器は、上下方向に間隔を隔てて配置される複数の伝熱管と、隣接する伝熱管の端部を互いに接続する複数の連絡管とを含み、カバー部材は、複数の連絡管の少なくとも１つを覆う。
【０００８】
この床置型室内機では、カバー部材が複数の連絡管を覆っているので、連絡管から滴下したドレン水が他の連絡管に当たって飛散したとしても、そのドレン水をカバー部材でドレンパンに導くことができる。
【０００９】
第３の発明にかかる床置型室内機は、第２の発明にかかる床置型室内機において、カバー部材は、熱交換器と同じ高さを有する。
【００１０】
この床置型室内機では、熱交換器の連絡管を上端から下端まで覆うことが可能となり、連絡管に結露したドレン水が飛散したとしても、そのドレン水が室内機外に浸水するのを確実に防止することができる。
【００１１】
第４の発明にかかる床置型室内機は、第１〜第３の発明のいずれかにかかる床置型室内機において、熱交換器は、幅方向に間隔を隔てて配置される複数の放熱フィンと、複数の放熱フィンの幅方向の端部に配置される管板とを含み、カバー部材は、放熱フィンと管板との間に嵌め込まれる爪部を含む。
【００１２】
この床置型室内機では、幅方向に関して、カバー部材の移動を規制することができる。
【００１３】
第５の発明にかかる床置型室内機は、第１〜第４の発明のいずれかにかかる床置型室内機において、熱交換器は、上下方向に間隔を隔てて配置される複数の伝熱管を含み、カバー部材は、伝熱管に嵌合する嵌合部を含む。
【００１４】
この床置型室内機では、カバー部材を熱交換器に固定することができる。この際、ネジなどの別部品を用いることなくカバー部材と熱交換器とを固定できるので、ネジ孔からドレン水が浸水してしまう恐れがない。また、ネジがドレン水の影響で錆びてしまう恐れもない。
【００１５】
第６の発明にかかる床置型室内機は、第５の発明にかかる床置型室内機において、嵌合部は、２つの伝熱管の間に嵌め込まれ、一方の伝熱管の下部を支持する第１支持部と、他方の伝熱管の上部を支持する第２支持部とを有する。
【００１６】
この床置型室内機では、第１支持部が伝熱管の下部を支持すると共に、第２支持部が伝熱管の上部を支持するので、嵌合部が２つの伝熱管の間で固定され、カバー部材を熱交換器に確実に固定することができる。また、第１支持部と伝熱管の下部とが当接することでカバー部材が上方向に移動するのが規制されると共に、第２支持部と伝熱管の上部とが当接することでカバー部材が下方向に移動するのが規制されるので、上下方向に関して、カバー部材の移動を規制することができる。
【００１７】
第７の発明にかかる床置型室内機は、第６の発明にかかる床置型室内機において、第１支持部及び第２支持部の少なくとも一方は、円筒形状である伝熱管を支持する曲面を有している。
【００１８】
この床置型室内機では、円筒形状の伝熱管を損傷させることなく支持することができる。
【００１９】
第８の発明にかかる床置型室内機は、第６又は７の発明にかかる床置型室内機において、第１支持部及び第２支持部の少なくとも一方は、上下方向に撓み変形可能である。
【００２０】
この床置型室内機では、第１支持部又は第２支持部の撓み力でカバー部材を確実に固定することができる。また、第１支持部又は第２支持部が撓むことで、カバー部材の組付時の作業性が向上する。
【００２１】
第９の発明にかかる床置型室内機は、第１〜第８の発明のいずれかにかかる床置型室内機において、冷媒用配管に接続される接続配管と、接続配管を固定する固定部を有するフレームとをさらに備え、カバー部材は、固定部に係合する係合部を含む。
【００２２】
この床置型室内機では、カバー部材をフレームに固定することができる。この際、ネジなどの別部品を用いることなくカバー部材とフレームとを固定できるので、ネジ孔からドレン水が浸水してしまう恐れがない。また、ネジがドレン水の影響で錆びてしまう恐れもない。
【００２３】
第１０の発明にかかる床置型室内機は、第９の発明にかかる床置型室内機において、カバー部材は、固定部の前面に当接する当接部を含む。
【００２４】
この床置型室内機では、奥行方向に関して、係合部と当接部とでカバー部材の移動を規制することができる。
【００２５】
第１１の発明にかかる床置型室内機は、第１〜第１０の発明のいずれかにかかる床置型室内機において、熱交換器の端部に配置される接地用の端子部をさらに備え、カバー部材は、端子部を覆うように形成される端子カバー部を含む。
【００２６】
この床置型室内機では、端子部に結露したドレン水が飛散して室内機外に浸水してしまうのを防止することができる。
【００２７】
第１２の発明にかかる床置型室内機は、第１〜第１１の発明のいずれかにかかる床置型室内機において、カバー部材は、水平断面Ｌ字形状又は水平断面コの字形状であって、少なくとも冷媒用配管の前面側及び冷媒用配管の熱交換器の反対側を覆う。
【００２８】
この床置型室内機では、カバー部材でドレン水が前面及び側方に飛散するのを防止することができるので、そのドレン水が前面パネル等を伝って室内に浸水するのを防止することができる。
【００２９】
第１３の発明にかかる床置型室内機は、第１〜第１２の発明のいずれかにかかる床置型室内機において、カバー部材には、室温を検知する室温センサを固定する固定部が冷媒用配管とは反対側の表面に設けられる。
【００３０】
この床置型室内機では、カバー部材で冷媒用配管からの熱伝達を抑制することができるので、この室温センサで室温を正確に検知することができる。
【発明の効果】
【００３１】
以上の説明に述べたように、本発明によれば、以下の効果が得られる。
【００３２】
第１の発明では、冷媒用配管に結露したドレン水が飛散しても、そのドレン水をカバー部材でドレンパンに導くことができる。これにより、冷媒用配管に結露したドレン水が飛散して室内機外に浸水してしまうのを防止することができる。
【００３３】
また、第２の発明では、カバー部材が複数の連絡管を覆っているので、連絡管から滴下したドレン水が他の連絡管に当たって飛散したとしても、そのドレン水をカバー部材でドレンパンに導くことができる。
【００３４】
また、第３の発明では、熱交換器の連絡管を上端から下端まで覆うことが可能となり、連絡管に結露したドレン水が飛散したとしても、そのドレン水が室内機外に浸水するのを確実に防止することができる。
【００３５】
また、第４の発明では、幅方向に関して、カバー部材の移動を規制することができる。
【００３６】
また、第５の発明では、カバー部材を熱交換器に固定することができる。この際、ネジなどの別部品を用いることなくカバー部材と熱交換器とを固定できるので、ネジ孔からドレン水が浸水してしまう恐れがない。
【００３７】
また、第６の発明では、嵌合部が２つの伝熱管の間で固定され、カバー部材を熱交換器に確実に固定することができる。また、上下方向に関して、カバー部材の移動を規制することができる。
【００３８】
また、第７の発明では、円筒形状の伝熱管を損傷させることなく支持することができる。
【００３９】
また、第８の発明では、第１支持部又は第２支持部の撓み力でカバー部材を確実に固定することができる。また、第１支持部又は第２支持部が撓むことで、カバー部材の組付時の作業性が向上する。
【００４０】
また、第９の発明では、カバー部材をフレームに固定することができる。この際、ネジなどの別部品を用いることなくカバー部材とフレームとを固定できるので、ネジ孔からドレン水が浸水してしまう恐れがない。
【００４１】
また、第１０の発明では、奥行方向に関して、係合部と当接部とでカバー部材の移動を規制することができる。
【００４２】
また、第１１の発明では、端子部に結露したドレン水が飛散して室内機外に浸水してしまうのを防止することができる。
【００４３】
また、第１２の発明では、カバー部材でドレン水が前面及び側方に飛散するのを防止することができるので、そのドレン水が前面パネル等を伝って室内に浸水するのを防止することができる。
【００４４】
また、第１３の発明では、カバー部材で冷媒用配管からの熱伝達を抑制することができるので、この室温センサで室温を正確に検知することができる。
【発明を実施するための最良の形態】
【００４５】
以下、図面に基づいて、本発明に係る空気調和機の実施形態について説明する。
【００４６】
図１は、本発明の一実施形態の空気調和機の冷媒回路図である。図２は、室内機の外観を示した斜視図である。図３〜図１２は、図２に示した室内機の詳細を説明するための図である。以下、図１〜図１２を参照して、本発明の一実施形態に係る空気調和機について説明する。
【００４７】
＜空気調和機＞
本発明の一実施形態に係る空気調和機１は、調和された空気を室内に供給するための装置であって、図１に示すように、室内に設置される室内機２と、室外に設置される室外機３と、室内機２と室外機３とを接続する接続配管４とを備えており、室内機２及び室外機３内に収納された機器・弁類と、接続配管４とが接続されて冷媒回路を構成している。冷媒回路は、主として、室内熱交換器２０、室外熱交換器３０、アキュムレータ３１、圧縮機３２、四路切換弁３３および電動膨張弁３４により構成される。
【００４８】
そして、上記構成の空気調和機１において、暖房運転時には、四路切換弁３３を実線に係る位置に切り換える。これにより、圧縮機３２から吐出された高温高圧冷媒が四路切換弁３３を通って室内熱交換器２０に流入する。そして、室内熱交換器（凝縮器）２０で凝縮した冷媒は、電動膨張弁３４で減圧された後、室外熱交換器３０に流入する。そして、室外熱交換器（蒸発器）３０で蒸発した冷媒が、四路切換弁３３及びアキュムレータ３１を介して、圧縮機３２の吸入側に戻る。このようにして、室内熱交換器２０の周囲の空気が加熱されて、温風が室内に供給される。
【００４９】
また、冷房運転時には、四路切換弁３３を点線に係る位置に切り換える。これにより、圧縮機３２から吐出された高温高圧冷媒が四路切換弁３３を通って室外熱交換器３０に流入する。そして、室外熱交換器（凝縮器）３０で凝縮した冷媒は、電動膨張弁３４で減圧された後、室内熱交換器２０に流入する。そして、室内熱交換器（蒸発器）２０で蒸発した冷媒が、四路切換弁３３及びアキュムレータ３１を介して、圧縮機３２の吸入側に戻る。このようにして、室内熱交換器２０の周囲の空気が冷却されて、冷風が室内に供給される。
【００５０】
＜室外機＞
室外機３は、圧縮機３２と、圧縮機３２の吐出側に接続された四路切換弁３３と、圧縮機３２の吸入側に接続されたアキュムレータ３１と、四路切換弁３３に接続された室外熱交換器３０と、室外熱交換器３０に接続された電動膨張弁３４と、室外熱交換器３０に付設される室外ファン３５とを備えている。電動膨張弁３４は、液冷媒配管４１に接続されており、この液冷媒配管４１を介して室内熱交換器２０の一端と接続されている。また、四路切換弁３３は、ガス冷媒配管４２に接続されており、このガス冷媒配管４２を介して室内熱交換器２０の他端と接続されている。なお、冷媒配管４１及び４２は、上記した接続配管４に相当する。
【００５１】
＜室内機＞
室内機２は、図２及び図３に示すように、床置型の室内機であって、主として、ケーシングユニット５０と、ケーシングユニット５０の内部に収容される室内熱交換器２０及び室内ファン２１とを備えている。
【００５２】
＜ケーシングユニット＞
室内機２の外観を構成するケーシングユニット５０は、底フレーム５１と、前面グリル５２と、前面パネル５３とを備えている。このケーシングユニット５０により形成される内部空間は、図４に示すように、室内熱交換器２０や室内ファン２１等が設置されるファン室５０Ａと、電装品ユニット２２等が設けられる配管室５０Ｂとに区分される。
【００５３】
底フレーム５１は、略長方形状であって、室内機２の背面部分を構成している。そして、底フレーム５１の下部には、接続配管４を配管室５０Ｂに導入するための配管導入口５１ａが設けられている。
【００５４】
前面グリル５２は、図５に示すように、底フレーム５１の前面側に取り付けられる。この前面グリル５２の上部には上側吹出口５２ａが設けられると共に、前面グリル５２の下部には下側吹出口５２ｂが設けられている。また、上側吹出口５２ａには、フラップ５４が回動自在に設けられており、空調運転時に上側吹出口５２ａから冷風又は温風を所望の方向に吹き出すようにし、空調運転停止時に上側吹出口５２ａを覆うようにしている。この前面グリル５２の中央部分には、略長方形状の開口５２ｃが設けられている。この開口５２ｃには、後述する前面パネル５３の各吸込口５３ａ，５３ｂ，５３ｃ（図２参照）から吸い込まれた空気に含まれる塵埃を捕集するフィルタ５５が設けられている。また、本実施形態では、前面グリル５２には、後述する温度センサ７１に対応する位置にセンサカバー部５２ｄが設けられている。このセンサカバー部５２ｄは、前面パネル５３の側方吸込口５３ｃ（図２参照）から吸い込まれる空気の流路上に設けられており、当該空気を温度センサ７１に導くために複数の通風孔が形成されている。
【００５５】
前面パネル５３は、図２に示すように、前面グリル５２の開口５２ｃ（図５参照）を覆うように取り付けられている。この前面パネル５３の上部には上側吸込口５３ａが設けられると共に、前面パネル５３の下部には下側吸込口５３ｂが設けられている。さらに、前面パネル５３の左右の側面には、側方吸込口５３ｃが設けられている。この上側吸込口５３ａ及び下側吸込口５３ｂは、幅方向（Ｘ方向）に長尺な開口であると共に、側方吸込口５３ｃは、上下方向（Ｚ方向）に長尺な開口である。これにより、上下左右の四方向から室内空気を吸い込むことが可能となり、当該吸込口５３ａ，５３ｂ，５３ｃから吸い込んだ空気を均等に室内熱交換器２０を通過させることが可能となる。
【００５６】
＜室内熱交換器＞
室内熱交換器２０は、室内空気との間で熱交換を行うために設けられている。室内熱交換器２０は、図３に示すように、室内ファン２１と前面グリル５２との間に配置されている。この室内熱交換器２０は、図４及び図６に示すように、上下方向（Ｚ方向）に所定の間隔を隔てて配置される複数の伝熱管２０ａと、隣接する伝熱管２０ａの端部を互いに接続する複数のＵ字連絡管２０ｂとを含んでいる。また、室内熱交換器２０は、幅方向に所定の間隔を隔てて配置される複数の放熱フィン２０ｃと、当該複数の放熱フィン２０ｃの左右の端部に配置される管板２０ｄとを含んでいる。そして、上記した伝熱管２０ａは、放熱フィン２０ｃ及び管板２０ｄを貫通している。
【００５７】
＜冷媒用配管＞
また、図６及び図７に示すように、室内熱交換器２０の側方には、当該室内熱交換器２０に接続される冷媒用配管２３が配置されている。
＜接続配管＞
また、冷媒用配管２３の側方には、当該冷媒用配管２３に接続される接続配管２４が配置されている。この接続配管２４は、断熱性のカバー２５によって覆われた状態で底フレーム５１の背面から前面側に突出している固定部５１ｂに対してバンド２６により固定されている。接続配管２４は、底フレーム５１の下部に設けられた配管導入口５１ａを介して配管室５０Ｂに導入される接続配管４に接続される。
【００５８】
＜ドレンパン＞
また、室内熱交換器２０の下方には、当該室内熱交換器２０におけるドレン水を受けるドレンパン２７が配置されている。このドレンパン２７は、室内熱交換器２０の下端に沿って設けられており、その底面には、排水管２７ａが設けられている。この排水管２７ａは、ドレンパン２７内に溜まったドレン水を外部に排出し易くするために、配管導入口５１ａの近傍に設けられている。
【００５９】
＜接地用の端子部＞
また、図６及び図７に示すように、室内熱交換器２０の右側端部には、金属製の接地用の端子部２８が設けられており、電装品ユニット２２に電気的に接続される配線が接続されている。この接地用の端子部２８は、配管室５０Ｂ側の管板（以下、右側管板とする）２０ｄに取り付けられている。
【００６０】
＜防滴カバー＞
図４に示すように、冷媒用配管２３と前面グリル５２との間には、樹脂製の防滴カバー６０が設けられている。この防滴カバー６０は、室内熱交換器２０のＵ字連絡管２０ｂや冷媒用配管２３におけるドレン水が飛散するのを防止するために設けられており、その下端は、上記したドレンパン２７の内側に設けられている。これにより、Ｕ字連絡管２０ｂや冷媒用配管２３におけるドレン水が飛散した場合でも、その飛散したドレン水が、防滴カバー６０の内面を伝ってドレンパン２７に導かれる。この防滴カバー６０は、図８〜図１０に示すように、水平断面Ｌ字状であって、冷媒用配管２３の前面側を覆う前面部６０ａ、及び、冷媒用配管２３の室内熱交換器２０の反対側を覆う側面部６０ｂを有している。防滴カバー６０は、室内熱交換器２０と同じ高さを有しており、配管室５０Ｂ側のＵ字連絡管２０ｂを上端から下端まで覆っている。
【００６１】
この防滴カバー６０には、放熱フィン２０ｃと右側管板２０ｄとの間に嵌め込まれる爪部６１と、伝熱管２０ａに嵌合する嵌合部６２と、底フレーム５１の固定部５１ｂに係合する係合部６３と、当該固定部５１ｂの前面に当接する当接部６４と、接地用の端子部２８を覆う端子カバー部６５と、センサユニット７０を固定する固定部６６とが形成されている。また、固定部６６の上方及びファン室５０Ａ側の側方には、リブ部６７が立設されている。爪部６１、嵌合部６２、端子カバー部６５、固定部６６及びリブ部６７は、防滴カバー６０の前面部６０ａに形成されると共に、係合部６３及び当接部６４は、防滴カバー６０の側面部６０ｂに形成される。そして、前面部６０ａが室内熱交換器２０に固定されると共に、側面部６０ｂが底フレーム５１に固定されることにより、防滴カバー６０の両側を固定することが可能となる。
【００６２】
爪部６１は、放熱フィン２０ｃと右側管板２０ｄとの間に嵌め込まれることで、防滴カバー６０の幅方向（Ｘ方向）への移動を規制している。
【００６３】
嵌合部６２は、図１１に示すように、２つの伝熱管２０ａの間に嵌め込まれることで伝熱管２０ａに嵌合して、防滴カバー６０の上下方向（Ｚ方向）への移動を規制する。この嵌合部６２は、図８及び図１１に示すように、一方（上側）の伝熱管２０ａの下部を支持する上側支持部６２ａと、他方（下側）の伝熱管２０ａの上部を支持する下側支持部６２ｂとを有している。これらの支持部６２ａ，６２ｂは、共に上下方向に撓み変形可能であって、２つの伝熱管２０ａの間に嵌め込む際には、両支持部６２ａ，６２ｂの間隔が小さくなるように撓み、２つの伝熱管２０ａの間に嵌め込まれた際には、両支持部６２ａ，６２ｂが外側に広がる撓み力により支持部６２ａ，６２ｂと伝熱管２０ａとが当接する。また、上側支持部６２ａの上面６２１ａ、及び、下側支持部６２ｂの下面６２１ｂは、共に伝熱管２０ａの外周面を支持する曲面形状である。また、両支持部６２ａ，６２ｂの先端６２２ａ，６２２ｂは、テーパー形状になっており、２つの伝熱管２０ａの間に対して嵌合部６２を挿入し易くしている。
【００６４】
係合部６３は、図８及び図９に示すように、奥行き方向（Ｙ方向）に延在し、且つ、先端が鉤状になっている。この係合部６３は、撓み変形可能であって、接続配管２４を支持する底フレーム５１の固定部５１ｂ（図４参照）に引っ掛かる。
【００６５】
当接部６４は、固定部５１ｂの前面に当接することで、防滴カバー６０の奥行き方向への移動を規制している。
【００６６】
端子カバー部６５は、接地用の端子部２８（図６及び図７参照）を覆うために設けられており、接地用の端子部２８に結露したドレン水が飛散しないようにしている。
【００６７】
固定部６６は、冷媒用配管２３とは反対側の表面に形成されており、センサユニット７０（図１２参照）の上部を支持する上側支持部６６ａと、センサユニット７０の下部を支持する下側支持部６６ｂとを含んでいる。上側支持部６６ａは、図９に示すように、センサユニット７０の保持部材７２の突出片７２ａを挿入するための挿入孔６６１ａを有しており、当該挿入孔６６１ａに突出片７２ａが挿入されることにより、センサユニット７０を防滴カバー６０に固定することが可能となる。また、下側支持部６６ｂは、保持部材７２の下端の切欠７２ｂを下側から支持し、上記した突出片７２ａが挿入孔６６１ａから抜けないようにしている。
【００６８】
＜センサユニット７０＞
上記した防滴カバー６０の固定部６６には、室温を検知するための温度センサ７１を有するセンサユニット７０が固定されている。このセンサユニット７０は、図１２に示すように、温度センサ７１と、当該温度センサ７１を保持する樹脂製の保持部材７２とを有している。
【００６９】
温度センサ７１は、室内環境が所望の温度に達したか否かを判断等するため用いられるため、室内環境の正確な温度を検知することが望まれる。そこで、本実施形態では、温度センサ７１は、図４に示すように、上下方向（Ｚ方向）に関して、電装品ユニット２２の下方であって、且つ、上下方向に長尺な側方吸込口５３ｃ（図２参照）の中央位置の付近に配置されている。また、幅方向（Ｘ方向）に関して、温度センサ７１は、正面視において室内熱交換器２０に重ならないように配置されている。また、温度センサ７１は、上記した固定部６６において、防滴カバー６０において冷媒用配管２３とは反対側の表面に固定されている。これにより、温度センサ７１と冷媒用配管２３との間に防滴カバー６０が配置され、冷媒用配管２３からの輻射熱を当該防滴カバー６０で遮ることが可能となる。また、温度センサ７１は、その上方及び室内熱交換器２０側の側方が上記した防滴カバー６０のリブ部６７によって囲まれている。
【００７０】
保持部材７２には、上端に形成される突出片７２ａと、下端に形成される切欠７２ｂと、温度センサ７１の周囲に立設されるリブ部７２ｃとが形成されている。
【００７１】
＜室内ファン＞
室内ファン２１は、図３に示すように、室内熱交換器２０の背面側に付設され、吸込口５３ａ，５３ｂ，５３ｃ（図２参照）から吸引した室内空気を室内熱交換器２０を通過させる機能を有している。この室内ファン２１は、吸込口５３ａ，５３ｂ，５３ｃから吸い込んだ空気を径方向外側に送風するターボファンである。
【００７２】
＜電装品ユニット＞
配管室５０Ｂの上部には、図４に示すように、電装品が実装される基板やリモコン（図示せず）から送信される信号を受信する受信部などを有する電装品ユニット２２が設けられている。このように、電装品ユニット２２を配管室５０Ｂの上部に配置することによって、室内熱交換器２０におけるドレン水が滴下して電装品ユニット２２に浸水してしまうのを防止することができる。また、電装品ユニット２２には、当該電装品ユニット２２とセンサユニット７０とを互いに着脱可能に固定する固定部２２ａが設けられている。本実施形態では、当該固定部２２ａに固定されるセンサユニット７０を取り外して、上記した防滴カバー６０の固定部６６に取り付ける。つまり、防滴カバー６０を取り付けていない状態では、図７に示すように、固定部２２ａに取り付けておき、防滴カバー６０を取り付けた状態では、図４に示すように、固定部２２ａからセンサユニット７０を取り外して、防滴カバー６０の固定部６６に取り付ける。
【００７３】
［本実施形態の室内機２の特徴］
本実施形態の室内機２には、以下のような特徴がある。
【００７４】
上記したように、本実施形態の室内機２では、冷媒用配管２３を覆い、且つ、下端がドレンパン２７の内側に設けられる防滴カバー６０を設けることによって、冷媒用配管２３に結露したドレン水が飛散しても、そのドレン水を防滴カバー６０でドレンパン２７に導くことができる。これにより、冷媒用配管２３に結露したドレン水が飛散して室内機２外に浸水してしまうのを防止することができる。
【００７５】
また、本実施形態の室内機２では、防滴カバー６０が複数のＵ字連絡管２０ｂを覆っているので、Ｕ字連絡管２０ｂから滴下したドレン水が他のＵ字連絡管２０ｂに当たって飛散したとしても、そのドレン水を防滴カバー６０でドレンパン２７に導くことができる。
【００７６】
また、本実施形態の室内機２では、防滴カバー６０の高さを室内熱交換器２０と同じにしているので、室内熱交換器２０のＵ字連絡管２０ｂを上端から下端まで覆うことが可能となり、Ｕ字連絡管２０ｂに結露したドレン水が飛散したとしても、そのドレン水が室内機２外に浸水するのを確実に防止することができる。
【００７７】
また、本実施形態の室内機２では、爪部６１を放熱フィン２０ｃと右側管板２０ｄとの間に嵌め込むことによって、幅方向（Ｘ方向）に関して、防滴カバー６０の移動を規制することができる。
【００７８】
また、本実施形態の室内機２では、嵌合部６２を２つの伝熱管２０ａの間に嵌め込むことによって、防滴カバー６０を室内熱交換器２０に固定することができる。この際、ネジなどの別部品を用いることなく防滴カバー６０と室内熱交換器２０とを固定できるので、ネジ孔からドレン水が浸水してしまう恐れがない。また、ネジがドレン水の影響で錆びてしまう恐れもない。
【００７９】
また、本実施形態の室内機２では、上側支持部６２ａが伝熱管２０ａの下部を支持すると共に、下側支持部６２ｂが伝熱管２０ａの上部を支持するので、嵌合部６２が２つの伝熱管２０ａの間で固定され、防滴カバー６０を室内熱交換器２０に確実に固定することができる。
【００８０】
また、本実施形態の室内機２では、上側支持部６２ａと伝熱管２０ａの下部とが当接することで防滴カバー６０が上方向に移動するのが規制されると共に、下側支持部６２ｂと伝熱管２０ａの上部とが当接することで防滴カバー６０が下方向に移動するのが規制されるので、上下方向に関して、防滴カバー６０の移動を規制することができる。
【００８１】
また、本実施形態の室内機２では、上側支持部６２ａの上面６２１ａ、及び、下側支持部６２ｂの下面６２１ｂを、共に曲面形状にすることによって、円筒形状の伝熱管２０ａを損傷させることなく支持することができる。
【００８２】
また、本実施形態の室内機２では、上側支持部６２ａ又は下側支持部６２ｂの撓み力で防滴カバー６０を確実に固定することができる。
【００８３】
また、本実施形態の室内機２では、底フレーム５１の固定部５１ｂに係合する係合部６３を設けることによって、防滴カバー６０を底フレーム５１に固定することができる。この際、ネジなどの別部品を用いることなく防滴カバー６０と底フレーム５１とを固定できるので、ネジ孔からドレン水が浸水してしまう恐れがない。また、ネジがドレン水の影響で錆びてしまう恐れもない。
【００８４】
また、本実施形態の室内機２では、奥行方向（Ｙ方向）に関して、係合部６３と当接部６４とで防滴カバー６０の移動を規制することができる。
【００８５】
また、本実施形態の室内機２では、接地用の端子部２８（図６及び図７参照）を覆う端子カバー部６５を設けることによって、接地用の端子部２８に結露したドレン水が飛散して室内機２外に浸水してしまうのを防止することができる。
【００８６】
また、本実施形態の室内機２では、防滴カバー６０でドレン水が前面及び側方に飛散するのを防止することができるので、そのドレン水が前面パネル５３等を伝って室内に浸水するのを防止することができる。
【００８７】
また、本実施形態の室内機２では、防滴カバー６０で冷媒用配管２３からの熱伝達を抑制することができるので、その表面に取り付けられた室温センサ７１で室温を正確に検知することができる。
【００８８】
また、本実施形態の室内機２では、爪部６１、嵌合部６２、係合部６３及び当接部６４が防滴カバー６０に一体成形されているため、ネジなどの部材を用いることなく防滴カバー６０を固定することができる。
【００８９】
また、本実施形態の室内機２では、嵌合部６２（上側支持部６２ａ、下側支持部６２ｂ）及び係合部６３が撓み変形可能であるから、防滴カバー６０の組付時の作業性が向上する。
【００９０】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００９１】
例えば、上記実施形態では、水平断面Ｌ字状の防滴カバーを用いる例について説明したが、本発明はこれに限らず、図１３に示した水平断面コの字状の防滴カバー１６０を用いてもよい。この水平断面コの字状の防滴カバー１６０は、冷媒用配管２３の前面側を覆う前面部１６０ａ、冷媒用配管２３の背面側を覆う背面部１６０ｃ、及び、冷媒用配管２３の室内熱交換器２０の反対側を覆う側面部１６０ｂを備えている。
【００９２】
また、上記実施形態では、室外機と室内機とを備えたセパレートタイプの空気調和機について説明したが、一体型の空気調和機にも適用可能である。
【産業上の利用可能性】
【００９３】
本発明を利用すれば、冷媒用配管に結露したドレン水が室内機外に浸水してしまうのを防止することが可能な床置型室内機を得ることができる。
【図面の簡単な説明】
【００９４】
【図１】本発明の一実施形態の空気調和機の冷媒回路図である。
【図２】室内機の外観を示した斜視図である。
【図３】室内機の断面図である。
【図４】前面パネル及び前面グリルを取り外した室内機の正面図である。
【図５】前面パネルを取り外した室内機の斜視図である。
【図６】室内熱交換器の端部を示した斜視図である。
【図７】前面パネル、前面グリル及び防滴カバーを取り外した室内機の正面図である。
【図８】防滴カバーの斜視図である。
【図９】防滴カバーの斜視図である。
【図１０】防滴カバーの正面図である。
【図１１】防滴カバーの嵌合部が室内熱交換器の伝熱管に嵌合した状態を示した断面図である。
【図１２】センサユニットの正面図である。
【図１３】変形例に係る防滴カバーの斜視図である。
【符号の説明】
【００９５】
２  室内機（床置型室内機）
２０  室内熱交換器（熱交換器）
２０ａ  伝熱管
２０ｂ  Ｕ字連絡管（連絡管）
２０ｃ  放熱フィン
２０ｄ  管板
２３  冷媒用配管
２４  接続配管
２７  ドレンパン
５１  底フレーム（フレーム）
５１ｂ固定部
６０，１６０  防滴カバー（カバー部材）
６１  爪部
６２  嵌合部
６２ａ  第１支持部（上側支持部）
６２ｂ  第２支持部（下側支持部）
６３  係合部
６４  当接部
６５  端子カバー部
６６  固定部
７１  温度センサ
【図１】
2010078220.tif 000003
【図２】
2010078220.tif 000004
【図３】
2010078220.tif 000005
【図４】
2010078220.tif 000006
【図５】
2010078220.tif 000007
【図６】
2010078220.tif 000008
【図７】
2010078220.tif 000009
【図８】
2010078220.tif 000010
【図９】
2010078220.tif 000011
【図１０】
2010078220.tif 000012
【図１１】
2010078220.tif 000013
【図１２】
2010078220.tif 000014
【図１３】
2010078220.tif 000015